Podtech/llm-jp-corpus-v4-ja_patent huggingface dataset:
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
生理的又は身体的状態を診断するためのセンサであって、
生理的又は身体的状態に関する１以上のパラメータについての臨床データを決定するように構成された測定システム；
臨床データを記憶するように構成された第１メモリ；
第１通信プロトコルに従って臨床データを送信するように構成された送信器；
第２通信プロトコルに従って強化データを受信するように構成された受信器であって、強化データは臨床データに基づいている、受信器；及び
強化データを記憶するように構成された第２メモリ；
を備えている、
センサ。
【請求項２】
臨床データは、第１メモリに記憶され且つ暗号化されない状態で送信器によって送信される、請求項１に記載のセンサ。
【請求項３】
強化データが受信器によって受信され且つ第２メモリに記憶されるとき、強化データは、暗号化された状態である、請求項２に記載のセンサ。
【請求項４】
さらに、測定システム、送信器、及び受信器を動作可能に制御するように構成された制御器を備えており、制御器は、さらに受信器が臨床データに基づく強化データを受信するのに対応して、第１メモリから臨床データを削除するように構成されている、請求項１に記載のセンサ。
【請求項５】
臨床データは、１以上のデータフィールドの第１集合を含み、且つ強化データは、１以上のデータフィールドの第１集合及び１以上の追加的データフィールドを含んでおり、１以上の追加的データフィールドが、臨床データに基づく統計的分析、予測的傾向、又は推奨される薬の用量の少なくとも１つに関するデータを含んでいる、請求項１に記載のセンサ。
【請求項６】
臨床データは、測定された血糖濃度を含んでいる、請求項１に記載のセンサ。
【請求項７】
医療データの管理の方法であって、
個人の生理的状態又は身体的状態に関する１以上のパラメータについての臨床データを、センサを用いて決定すること；
臨床データをセンサの第１メモリ内に記憶すること；
第１通信プロトコルに従って臨床データをセンサから収集器へ送信すること；
第２通信プロトコルに従って強化データを収集器から受信することであって、強化データは臨床データに基づいていること；及び
強化データをセンサの第２メモリに記憶すること；
を含んでいる、
方法。
【請求項８】
さらに、強化データが受信された後に、第１メモリ内の臨床データを削除すること、を含んでいる、請求項７に記載の方法。
【請求項９】
強化データは、センサによって受信されるとき、暗号化された状態である、請求項７に記載の方法。
【請求項１０】
臨床データは、１以上のデータフィールドの第１集合を含み、且つ強化データは、１以上のデータフィールドの第１集合、及び１以上の追加的データフィールドを含み、１以上の追加的データフィールドは、臨床データに基づく統計的分析、予測的傾向、又は推奨される薬の用量の少なくとも１つに関するデータを含んでいる、請求項８に記載の方法。
【請求項１１】
第１通信プロトコルは、公的に利用可能な産業標準通信プロトコルであり、そして第２通信プロトコルは、公的には利用可能でないカスタムの通信プロトコルである、請求項７に記載の方法。
【請求項１２】
第１通信プロトコルに従って、臨床データを収集器で受信すること；
強化データを決定するために、収集器を用いて臨床データを処理すること；
強化データを収集器からセンサへ送信すること；
をさらに含んでいる、請求項７に記載の方法。
【請求項１３】
収集器は、パーソナルコンピュータ、タブレットコンピュータ、又は携帯電話を備えている、請求項７に記載の方法。
【請求項１４】
生理的及び身体的状態を診断するためのセンサであって、
診断分析を実行するように構成された測定システム；
複数の異なる通信プロトコルに従って、夫々にデータを送信及び受信するように構成された送信器及び受信器；及び
１以上の制御器及び１以上のメモリ機器を含んでいるコンピュータ論理回路；
を備え、
１以上のメモリ機器は、命令を記憶し、命令が１以上の制御器によって実行されるとき、命令はコンピュータ論理回路に、
生理的及び身体的状態に関する１以上のパラメータについての臨床データを決定させ；
臨床データを１以上のメモリ機器の第１メモリ領域に記憶させ；
複数の通信プロトコルの第１のものに従って、臨床データを収集器へ送信させ；
複数の通信プロトコルの第２のものに従って、臨床データに基づく強化データを収集器から受信させ；及び
強化データを１以上のメモリ機器の第２メモリ領域に記憶させる；
センサ。
【請求項１５】
命令は、さらに、コンピュータ論理回路に第１メモリから臨床データを削除させる、請求項１４に記載のセンサ。
【手続補正２】
【補正対象書類名】明細書
【補正対象項目名】００３２
【補正方法】変更
【補正の内容】
【００３２】
本開示のいくつかの局面によると、センサ１１０は、第２メモリ１３８が、第２通信プロトコル１４２に従いデータ通信を受信するセンサ通信インタフェース１３０に応答して、別の機器（例えば、収集器１１２）によって無線でアクセスされうるのみであるように構成されうる。この方法において、第２メモリに記憶された強化データは、さらに、それにアクセスする権限のない試みに対して安全にされうる。これは、第２通信プロトコル１４２が公的に利用できず、広く選択できず、又は産業標準通信プロトコルでない（例えば、カスタム通信プロトコル）ところで、特に効果的な安全レイヤを提供する。
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
基準状態における分岐した解剖学的構造の構成の基準三次元モデルを受信するステップ
前記分岐した解剖学的構造の構成の変形状態の変形三次元モデルを作るために前記基準三次元モデルに三次元変形場を適用するステップ、及び
前記分岐した解剖学的構造の構成の前記変形状態の前記変形三次元モデルの画像を動的に表示するステップ、を含む、
方法。
【請求項２】
前記基準三次元モデルに前記三次元変形場を適用するステップは、前記基準三次元モデル上のポイントに対して前記三次元変形場を補間するステップを含む、
請求項１に記載の方法。
【請求項３】
前記基準三次元モデルに前記三次元変形場を適用するステップはさらに、前記基準三次元モデル上の前記ポイントを、前記分岐した解剖学的構造の構成の前記変形状態の前記変形三次元モデル上のポイントに変換するステップを含む、
請求項２に記載の方法。
【請求項４】
前記分岐した解剖学的構造の構成の前記変形状態は、少なくとも部分的に、周期的な解剖学的構造の運動によって引き起こされる、又は少なくとも部分的に、前記分岐した解剖学的構造の構成の中に位置する介入器具によって引き起こされる、
請求項１に記載の方法。
【請求項５】
前記分岐した解剖学的構造の構成の中に位置する介入器具の画像及び前記分岐した解剖学的構造の構成の前記変形状態の前記変形三次元モデルの前記画像を含む合成画像を表示するステップをさらに含む、
請求項１に記載の方法。
【請求項６】
前記変形三次元モデルは、変形三次元メッシュモデルを含む、
請求項１に記載の方法。
【請求項７】
前記分岐した解剖学的構造の構成の前記変形状態の前記変形三次元モデルを作るために前記基準三次元モデルに前記三次元変形場を適用するステップは、変形した頂点のセットを作るステップを含み、前記変形三次元メッシュモデルは、前記変形した頂点のセットを含む、
請求項６に記載の方法。
【請求項８】
前記分岐した解剖学的構造の構成の前記基準状態に関する基準スケルトンツリーを生成するステップ、
前記分岐した解剖学的構造の構成の前記変形状態に関する変形スケルトンツリーを生成するステップ、及び
前記基準状態から前記変形状態への変形を記述する三次元場ベクトルのアレイを生成するステップであって、前記三次元変形場は前記三次元場ベクトルのアレイを含む、ステップ、
によって、前記三次元変形場を生成するステップをさらに含む、
請求項１に記載の方法。
【請求項９】
プロセッサ、及び
格納されたコンピュータ可読命令を有するメモリ、を備える、処理システムであって、
前記コンピュータ可読命令は、前記プロセッサによって実行されるとき、前記システムに：
基準状態における分岐した解剖学的構造の構成の基準三次元モデルを受信すること、
前記分岐した解剖学的構造の構成の変形状態の変形三次元モデルを作るために前記基準三次元モデルに三次元変形場を適用すること、及び
前記分岐した解剖学的構造の構成の前記変形状態の前記変形三次元モデルの画像を動的に表示すること、を生じさせる、
処理システム。
【請求項１０】
前記基準三次元モデルに前記三次元変形場を適用することは、前記基準三次元モデル上のポイントに対して前記三次元変形場を補間することを含む、
請求項９に記載の処理システム。
【請求項１１】
前記基準三次元モデルに前記三次元変形場を適用することはさらに、前記基準三次元モデル上の前記ポイントを、前記分岐した解剖学的構造の構成の前記変形状態の前記変形三次元モデル上のポイントに変換することを含む、
請求項１０に記載の処理システム。
【請求項１２】
前記分岐した解剖学的構造の構成の前記変形状態は、少なくとも部分的に、周期的な解剖学的構造の運動によって引き起こされる、又は少なくとも部分的に、前記分岐した解剖学的構造の構成の中に位置する介入器具によって引き起こされる、
請求項９に記載の処理システム。
【請求項１３】
前記分岐した解剖学的構造の構成の中に位置する介入器具の画像及び前記分岐した解剖学的構造の構成の前記変形状態の前記変形三次元モデルの前記画像を含む合成画像を表示することをさらに含む、
請求項９に記載の処理システム。
【請求項１４】
前記変形三次元モデルは、変形三次元メッシュモデルを含み、
前記分岐した解剖学的構造の構成の前記変形状態の前記変形三次元モデルを作るために前記基準三次元モデルに前記三次元変形場を適用することは、変形した頂点のセットを作ることを含み、前記変形三次元メッシュモデルは、前記変形した頂点のセットを含む、
請求項１３に記載の処理システム。
【請求項１５】
前記コンピュータ可読命令は、前記プロセッサによって実行されるとき：
前記分岐した解剖学的構造の構成の前記基準状態に対する基準スケルトンツリーを生成すること、
前記分岐した解剖学的構造の構成の前記変形状態に対する変形スケルトンツリーを生成すること、及び
前記基準状態から前記変形状態へ変形を記述する三次元場ベクトルのアレイを生成することであって、前記三次元変形場は前記三次元場ベクトルのアレイを含む、アレイを生成すること、
によって、前記システムに前記三次元変形場を生成することをさらに生じさせる、
請求項１３に記載の処理システム。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
シリケートと酸性化剤との間の沈澱反応を含むタイプの沈澱シリカを調製するための方法であって、それによって沈澱シリカの懸濁液が得られる、方法において、次の工程：
−  前記沈澱反応が次の方式：
（ｉ）前記反応に関与されるアルカリ金属Ｍシリケートの全量の一部を含む初期供給原料が形成され、前記初期供給原料中のシリケート（ＳｉＯ２として表わされる）の濃度が２０ｇ／ｌ未満、好ましくは１５ｇ／ｌ以下であり、
（ｉｉ）前記初期供給原料中に存在しているＭ２Ｏの量の少なくとも５０％が中和されるまで、酸性化剤が前記初期供給原料に添加され、
（ｉｉｉ）添加されるシリケート（ＳｉＯ２として表わされる）の量／前記初期供給原料中に存在しているシリケート（ＳｉＯ２として表わされる）の量の比が４超および１００以下、好ましくは１２〜１００、特に１２〜５０であるように、アルカリ金属Ｍシリケートと酸性化剤とが反応媒体に同時に添加され、
（ｉｖ）前記シリケートの前記添加が、２．５〜５．３、好ましくは２．８〜５．２の前記反応媒体のｐＨの値が得られるまで、前記反応媒体への前記酸性化剤の前記添加を続行している間に停止される
ことによって実施される工程と、
−  得られた前記シリカ懸濁液が濾過される工程と、
−  前記濾過後に得られた濾過ケーキが液状化操作にかけられる工程と、
−  ２５％以下の固形分を好ましくは有する、このように得られた前記濾過ケーキを乾燥する工程と
を含むことを特徴とし、
前記液状化操作中か、または前記液状化操作後および前記乾燥工程前かのいずれかで、少なくとも１つのポリカルボン酸が前記濾過ケーキに添加されることを特徴とする方法。
【請求項２】
前記液状化操作中に、少なくとも１つのポリカルボン酸が前記濾過ケーキに添加される、請求項１に記載の方法。
【請求項３】
少なくとも１つのポリカルボン酸が、前記液状化操作後に前記濾過ケーキに添加される、請求項１に記載の方法。
【請求項４】
前記液状化操作が、少なくとも１つのアルミニウム化合物の添加を含む、請求項１に記載の方法。
【請求項５】
前記液状化操作中に、少なくとも１つのポリカルボン酸および少なくとも１つのアルミニウム化合物が同時に前記濾過ケーキに添加される、請求項４に記載の方法。
【請求項６】
前記液状化操作中に、少なくとも１つのアルミニウム化合物が、少なくとも１つのポリカルボン酸の添加前に前記濾過ケーキに添加される、請求項４に記載の方法。
【請求項７】
少なくとも１つのポリカルボン酸が、前記液状化操作後に前記濾過ケーキに添加される、請求項４に記載の方法。
【請求項８】
前記ポリカルボン酸が、２〜２０個の炭素原子を含有する直鎖または分岐状、飽和または不飽和脂肪族ポリカルボン酸および芳香族ポリカルボン酸から選択される、請求項１〜７のいずれか一項に記載の方法。
【請求項９】
ポリカルボン酸の混合物が前記濾過ケーキに添加される、請求項１〜８のいずれか一項に記載の方法。
【請求項１０】
ポリカルボン酸の前記混合物が、次の酸：アジピン酸、グルタル酸およびコハク酸を含む、請求項９に記載の方法。
【請求項１１】
ポリカルボン酸の前記混合物が、次の酸：メチルグルタル酸、エチルコハク酸およびアジピン酸を含む、請求項９に記載の方法。
【請求項１２】
−  １００〜２４０ｍ２／ｇのＢＥＴ比表面積、
−  １００〜２４０ｍ２／ｇのＣＴＡＢ比表面積、
−  少なくとも０．１５重量％の、特に少なくとも０．２０重量％の、全炭素として表される、ポリカルボン酸＋相当するカルボキシレ−トの含有率（Ｃ）、
−  超音波解集塊化後のＸＤＣ粒度分析によって測定される、少なくとも０．７０の対象サイズ分布幅Ｌｄ（（ｄ８４−ｄ１６）／ｄ５０）、および
−  ０．６５未満の細孔分布幅ｌｄｐ
を有することを特徴とする沈殿シリカ。
【請求項１３】
−  １００〜２４０ｍ２／ｇのＢＥＴ比表面積、
−  １００〜２４０ｍ２／ｇのＣＴＡＢ比表面積、
−  少なくとも０．１５重量％の、特に少なくとも０．２０重量％の、全炭素として表される、ポリカルボン酸＋相当するカルボキシレ−トの含有率（Ｃ）、
−  少なくとも０．２０重量％の、特に少なくとも０．２５重量％のアルミニウム（Ａｌ）含有率、
−  超音波解集塊化後のＸＤＣ粒度分析によって測定される、少なくとも０．７０の対象サイズ分布幅Ｌｄ（（ｄ８４−ｄ１６）／ｄ５０）、および
−  ０．６５未満の細孔分布幅ｌｄｐ
を有することを特徴とする沈殿シリカ。
【請求項１４】
直径が１７５〜２７５Åである細孔によって生成された細孔体積が、直径が４００Å以下である細孔によって生成された細孔体積の少なくとも５５％、特に５５％〜７５％に相当するような細孔分布を有することを特徴とする、請求項１２または１３に記載の沈澱シリカ。
【請求項１５】
請求項１２〜１４のいずれか一項に記載の、または請求項１〜１１のいずれか一項に記載の方法によって得られる沈澱シリカの、ポリマー用の、特にタイヤ用の強化充填材としての使用。
【請求項１６】
請求項１２〜１４のいずれか一項に記載の、または請求項１〜１１のいずれか一項に記載の方法によって得られる沈澱シリカを含むポリマー組成物。
【請求項１７】
請求項１６に記載の少なくとも１つの組成物を含む物品であって、履物底、床仕上げ材、ガスバリア、難燃性材料、空中ケーブル用のローラー、家庭電化製品用のシール、液体またはガスパイプ用のシール、ブレーキシステムシール、パイプ、被覆材料、ケーブル、エンジンサポート、電池セパレーター、コンベヤーベルト、伝動ベルトまたはタイヤからなる物品。
【請求項１８】
請求項１７に記載のタイヤ。
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
第一ガラス質層と、該第一ガラス質層に隣接し、感光性ガラスを含む第二ガラス質層とを含む、ガラス質物品を形成するステップ；
該ガラス質物品を放射線に暴露させて、暴露されたガラス質物品を形成するステップ；ならびに
複数の封入体が該第二ガラス質層の該感光性ガラス中に形成されるように、該暴露されたガラス質物品に熱処理を施すステップであって、該複数の封入体が、該ガラス質物品から放出される光の放出プロファイルを制御するために、ある決定されたパターンを有する、ステップ、
を含む方法。
【請求項２】
前記ガラス質物品を放射線に暴露させる前記ステップが、前記第二ガラス質層の非露出部分を放射線に暴露させることなく、前記決定されたパターンを有する該第二ガラス質層の露出部分を該放射線に暴露させるステップを含む、請求項１に記載の方法。
【請求項３】
前記ガラス質物品を放射線に暴露させる前記ステップが、放射線源と該ガラス質物品との間にマスクを位置決めするステップを含み；
該マスクが、該放射線を遮断する不透明領域と、該放射線を透過する透明領域とを含み；
該マスクの該不透明領域が、該ガラス質物品の前記第二ガラス質層の前記非露出部分に対応するパターンを有し、該放射線への暴露から該非露出部分を遮蔽し；
該マスクの該透明領域が、該マスクの該不透明領域内に設けられた複数の開口部を含み、該複数の開口部が、該マスクの少なくとも１つの方向に沿って、該開口部のサイズ、該開口部のピッチ、または該開口部の密度のうちの少なくとも１つにつき勾配を有する、
請求項２に記載の方法。
【請求項４】
クラッド層と；
該クラッド層に隣接して配設されているコア層と；
を含むガラス質物品であって、
該クラッド層が感光性ガラスを含み、該感光性ガラスが、その中に複数の封入体を含み、該複数の封入体が、ある決定されたパターンで該感光性ガラス中に分散された金属粒子を含み、それにより、該複数の封入体によって散乱された光が、該決定されたパターンから結果として生じる放出プロファイルで該ガラス質物品から放出される、
ガラス質物品。
【請求項５】
前記クラッド層が第一クラッド層であり；
当該ガラス質物品が、さらに第二クラッド層を含み；
前記コア層が、該第一クラッド層と該第二クラッド層との間に配設されており；
該第一クラッド層および該第二クラッド層の熱膨張係数（ＣＴＥ）それぞれが、該コア層のＣＴＥ未満である、
請求項４に記載のガラス質物品。
【請求項６】
前記感光性ガラスが、
セリウムと；
銀、金、銅、およびそれらの組み合わせからなる群より選択される少なくとも１種の感光性金属と；
を含む、請求項４または５に記載のガラス質物品。
【請求項７】
前記封入体のサイズ、該封入体のピッチ、または該封入体の密度のうちの少なくとも１つが、前記ガラス質物品の少なくとも１つの方向に沿って変化する、請求項４から６のいずれか一項に記載のガラス質物品。
【請求項８】
前記ガラス質物品の端部への光の導入に応じて該ガラス質物品の表面から放出される光の強度の変化が、該端部から離れる方向において該ガラス質物品の少なくとも１つの方向に沿って、１５ｃｍの距離にわたって約３０％未満である、請求項４から７のいずれか一項に記載のガラス質物品。
【請求項９】
請求項４から８のいずれか一項に記載のガラス質物品を含む、消費者用もしくは商業用電子デバイス、タッチスクリーンもしくはタッチセンサー、携帯式電子デバイス、光起電装置、建築用ガラス、自動車用もしくは車両用ガラス、商業用もしくは家庭用電化製品、ソリッドステート照明装置、または、フォトバイオリアクター。
【請求項１０】
請求項４から８のいずれか一項に記載のガラス質物品を含む透明ディスプレイ。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
カートリッジから飲料を準備する機械において、該機械は、
フレームと、
該フレームにおいて回転可能なバスケットユニットであって、該バスケットユニットは、第１の一回分のカートリッジ構成を収容するように構成された第１のチャンバと、第２の一回分のカートリッジ構成を収容するように構成された第２のチャンバとを有し、前記バスケットユニットは、前記第１のチャンバが上方へ向けられる第１の位置と、前記第２のチャンバが上方へ向けられる第２の位置との間を回転するように構成されている、バスケットユニットと、
該バスケットユニットに接続されたラチェットアセンブリと、
回転可能なカラーであって、該カラーは前記ラチェットアセンブリに係合するように構成されている、回転可能なカラーと、を備え、
第１の方向への前記カラーの回転は、前記カラーを前記ラチェットアセンブリの第１の面に係合させ、該第１の面は、前記バスケットユニットを前記第１の位置から前記第２の位置へ回転させることなく前記カラーが前記第１の面に沿って摺動するように構成されており、
第２の方向への前記カラーの回転は、前記カラーを前記ラチェットアセンブリの第２の面に係合させ、該第２の面は、前記カラーとの係合が前記ラチェットアセンブリを回転させ、これにより、前記バスケットユニットを前記第１の位置から前記第２の位置へ回転させるように構成されていることを特徴とする、カートリッジから飲料を準備する機械。
【請求項２】
前記バスケットユニットは、前記カラーが前記第１の方向へ回転するときには約４５°未満だけ回転し、前記バスケットユニットは、前記カラーが前記第２の方向へ回転するときには少なくとも約１８０°だけ回転する、請求項１記載の機械。
【請求項３】
前記カラーは突出部を有し、前記ラチェットアセンブリはアームを有し、前記突出部は、前記カラーの回転中に前記アームと係合する、請求項１記載の機械。
【請求項４】
前記第１のチャンバは、抽出されたコーヒー飲料用のカートリッジを収容するように構成されており、前記第２のチャンバは、エスプレッソ飲料用のカートリッジを収容するように構成されている、請求項１記載の機械。
【請求項５】
前記バスケットユニットと、前記カラーとは、それぞれ実質的に垂直な軸線を中心に回転するように適応させられている、請求項１記載の機械。
【請求項６】
飲料の個々の分量を準備する方法において、
バスケットユニットを、該バスケットユニットの第１のチャンバが装填位置に配置された第１の構成へ回転させ、
前記第１のチャンバにカートリッジを収容し、
飲料の個々の分量を準備するために前記第１のチャンバ内の前記カートリッジに液体を導入し、
飲料の個々の分量を容器へ排出し、
前記バスケットユニットを、該バスケットユニットの第２のチャンバが前記装填位置に配置された第２の構成へ回転させることを特徴とする、飲料の個々の分量を準備する方法。
【請求項７】
前記第２の構成への前記バスケットユニットの回転中に前記カートリッジを廃棄ビンへ排出し、
前記第１のチャンバの内面および前記第１のチャンバのシール面のうちの少なくとも一方をすすぐことをさらに含む、請求項６記載の方法。
【請求項８】
突き固めアセンブリによって前記第１のチャンバ内の前記カートリッジを圧縮することをさらに含む、請求項６記載の方法。
【請求項９】
カラーを第１の方向へ回転させ、
前記カラーを、前記バスケットユニットに接続されたラチェットアセンブリの第１の面と係合させ、これにより、前記バスケットユニットを前記第１の構成と前記第２の構成との間で回転させることをさらに含む、請求項６記載の方法。
【請求項１０】
前記カラーを第２の方向へ回転させ、
前記カラーを前記ラチェットアセンブリの第２の面に沿って摺動させ、これにより、前記バスケットユニットを前記第１の構成と前記第２の構成との間で回転させないことをさらに含む、請求項９記載の方法。
【請求項１１】
前記カラーは、前記バスケットユニットの回転軸線に対して実質的に垂直な回転軸線を中心に回転する、請求項９記載の方法。
【請求項１２】
飲料を準備する飲料準備機械の制御方法であって、
前記飲料準備機械のバスケットユニットの第１のチャンバを、第１のサイズを有する第１のカートリッジを収容する位置に位置決めし、
前記第１のチャンバ内の前記第１のカートリッジに液体を導入し、これによって前記飲料を製造し、
前記第１のカートリッジから前記飲料を排出し、
前記飲料準備機械から前記飲料を排出し、
モータを用いて前記飲料準備機械のハウジングに対して前記バスケットユニットを回転し、
前記飲料準備機械のセンサを用いて、前記バスケットユニットの回転位置を検出し、
前記飲料準備機械の前記バスケットユニットの第２のチャンバを、第２カートリッジを収容する位置に位置決めすることを含み、前記第２のカートリッジは、前記第１のカートリッジの前記第１のサイズよりも小さい第２のサイズを有し、前記第２のチャンバは前記第１のカートリッジを収容するには小さすぎる、
制御方法。
【請求項１３】
前記センサから前記飲料準備機械の制御装置に、前記バスケットユニットの回転位置を表す信号を送信することをさらに含む、請求項１２記載の方法。
【請求項１４】
前記飲料準備機械の前記センサは、電子センサである、請求項１２記載の方法。
【請求項１５】
前記第１のサイズは、前記第１のカートリッジの側壁の外径を含み、前記第２のサイズは、前記第２のカートリッジの側壁の外径を含む、請求項１２記載の方法。
【請求項１６】
モータを用いて前記飲料準備機械の前記ハウジングに対して前記バスケットユニットを回転させることは、前記第１のチャンバを実質的に反転した位置に回転させることを含む、請求項１２記載の方法。
【請求項１７】
前記飲料準備機械の前記バスケットユニットの前記第１のチャンバを前記第１のカートリッジを収容する位置に位置決めすることは、前記第１のチャンバが上向きに開くような位置に前記第１のチャンバを位置決めすることを含み、
前記飲料準備機械の前記バスケットユニットの前記第２のチャンバを前記第１のカートリッジを収容する位置に位置決めすることは、前記第２のチャンバが上向きに開くような位置に前記第２のチャンバを位置決めすることを含む、
請求項１２記載の方法。
【請求項１８】
モータを用いて前記飲料準備機械の前記ハウジングに対して前記バスケットユニットを回転させることは、前記バスケットユニットを実質的に包囲するカラーを回転させることを含む、請求項１２記載の方法。
【請求項１９】
前記第１のカートリッジは、抽出されたコーヒー飲料のカートリッジタイプを含み、前記第１のカートリッジから前記飲料を排出することは、抽出されたコーヒー飲料を排出することを含む、請求項１２記載の方法。
【請求項２０】
前記第２のカートリッジは、エスプレッソ飲料のカートリッジタイプを含み、
当該方法は、
前記第２のチャンバを少なくとも９ｂａｒまで加圧し、
前記第２のチャンバ内の前記第２のカートリッジに液体を導入し、これによってエスプレッソ飲料を製造し、
前記エスプレッソ飲料を排出することをさらに含む、
請求項１９記載の方法。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
標的骨の第1の表面を表す第1のデータセットを含む第1のモデル、およびプロテーゼの第2の表面を表す第2のデータセットを含む第2のモデルを受信することであって、前記第1の表面が、前記標的骨の関節表面を含み、前記プロテーゼが、前記関節表面に少なくとも部分的に置き換わるように構成されている、受信すること、ならびに
前記第2のモデルが前記第1のモデルに対して位置決めされるとき、前記第1の表面の1つまたは複数の各部分と空間的に位置ずれしている前記第2の表面の1つまたは複数の部分を示す関節界面表現を生成すること
を行うように構成されたプロセッサ装置と、
前記第1のモデルおよび前記第2のモデルのうちの一方または両方の位置の変更の指示を含むユーザ入力を受信するように構成されたユーザ入力モジュール、ならびに
前記ユーザ入力モジュールおよび前記プロセッサ装置に結合されたディスプレイモジュールであって、前記第1のモデル、前記第2のモデル、および前記関節界面表現のうちの1つまたは複数を表示するように構成されている、ディスプレイモジュール
を含むユーザインターフェース装置と
を備えるシステム。
【請求項２】
前記プロセッサ装置が、前記第1のモデルおよび前記第2のモデルを受信するように構成され、前記第1のモデルが、前記標的骨の前記第1の表面の第1の三次元グラフィカル表現を含み、前記第2のモデルが、前記プロテーゼの前記第2の表面の第2の三次元グラフィカル表現を含む、請求項1に記載のシステム。
【請求項３】
前記プロセッサ装置が、前記第1のモデル、前記第2のモデル、および前記関節界面表現のうちの少なくとも1つの、複数の指定された角度のビューを生成するように構成されている、請求項1に記載のシステム。
【請求項４】
前記プロセッサ装置が、色分け表現を含む前記関節界面表現を生成するように構成され、前記色分け表現が、第1の方向において前記第1の表面の第1の部分と位置ずれしている前記第2の表面の第1の部分に関連付けられた第1の色と、第2の方向において前記第1の表面の第2の部分と位置ずれしている前記第2の表面の第2の部分に関連付けられた異なる第2の色とを含む、請求項1に記載のシステム。
【請求項５】
前記色分け表現が、第1の指定された量だけ第1の方向において前記第1の表面の第1の部分と位置ずれしている前記第2の表面の第1の部分にそれぞれが関連付けられた第1の組の色と、第2の指定された量だけ第2の方向において前記第1の表面の第2の部分と位置ずれしている前記第2の表面の第2の部分にそれぞれが関連付けられた第2の組の色とを含む、請求項4に記載のシステム。
【請求項６】
前記色分け表現が、前記第1の色および前記第2の色とは異なる第3の色をさらに含み、前記第3の色が、前記第1の表面の第3の部分に対して相対的な第3の指定された範囲内に配設され、かつ前記第1の表面の前記第3の部分と実質的に位置ずれしていない前記第2の表面の第3の部分に関連付けられている、請求項4に記載のシステム。
【請求項７】
前記プロセッサ装置が、注釈表現を含む前記関節界面表現を生成するように構成され、前記注釈表現が、第1の方向において前記第1の表面の第1の部分と位置ずれしている前記第2の表面の第1の部分に関連付けられた第1のマーキングと、第2の方向において前記第1の表面の第2の部分と位置ずれしている前記第2の表面の第2の部分に関連付けられた異なる第2のマーキングとを含む、請求項1に記載のシステム。
【請求項８】
前記プロセッサ装置が、前記第1のモデルおよび前記第2のモデルのうちの一方または両方の位置の前記変更の前記指示を含む前記ユーザ入力に応答して、前記関節界面表現を更新するように構成されている、請求項1に記載のシステム。
【請求項９】
前記プロセッサ装置が、前記関節界面表現を使用して位置合わせインデックスを計算することと、指定された基準を満たす前記位置合わせインデックスに応答して、前記第1の表面と前記第2の表面との間の望ましい位置合わせを決定することとを行うようにさらに構成されている、請求項1に記載のシステム。
【請求項１０】
前記ユーザ入力モジュールが、マウス、トラックボール、もしくはタッチ画面を含む1つまたは複数のポインティングデバイスを含む、請求項1に記載のシステム。
【請求項１１】
前記ユーザ入力モジュールが、前記第1のモデルおよび前記第2のモデルのうちの一方または両方の移動もしくは回転を含む位置の前記変更の指示を受信するように構成されている、請求項1に記載のシステム。
【請求項１２】
前記ユーザ入力モジュールが、前記第1のモデルと前記第2のモデルとの間の選択を受信することと、前記選択されたモデルの、他方のモデルに対する位置の変更を受信することとを行うように構成されたユーザ入力インターフェースを含む、請求項1に記載のシステム。
【請求項１３】
前記ユーザ入力インターフェースが、前記第1のモデルと前記第2のモデルとの間の保存された相対位置とともに前記第1のモデルと前記第2のモデルの両方の位置の同時変更を受信するように構成されている、請求項12に記載のシステム。
【請求項１４】
前記ディスプレイモジュールが、前記関節界面表現と重ね合わせられた前記第1のモデルまたは前記第2のモデルのうちの少なくとも一方をグラフィカルに表示するように構成されている、請求項1に記載のシステム。
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
アレイ全体にわたって複数の接着領域において互いに周期的に接合されている複数のポリマーストランドのアレイを含むネット製品であって、前記アレイが、第１の色を有する第１のポリマーと第２の色を有する第２のポリマーとを含み、前記第１の色が前記第２の色とは異なり、前記ネット製品が、第１の視角で前記第１の色を呈し、第２の視角で前記第２の色を呈する、ネット製品。
【請求項２】
前記アレイが複数のポリマーリボン及び複数のポリマーストランドを含み、前記複数のポリマーリボンは１つのポリマーストランドのみに接着領域で断続的に接着されている主表面を有し、前記複数のポリマーリボンが前記第１のポリマーを含み、前記複数のポリマーストランドが前記第２のポリマーを含み、前記第１の色が前記第２の色とは異なる、請求項１に記載のネット製品。
【請求項３】
前記複数のポリマーストランドが、隣接する複数のリボンの間で概ね正弦波パターンで振動し、前記振動ストランドが、前記リボンよりも、中心線からの高さが高い、請求項２に記載のネット製品。
【請求項４】
前記ネット製品が呈する４０°／Ｄｉｆｆｕｓｅ  ＣＩＥ彩度が少なくとも３であり、θｉ＝４０°のとき間隔θｘ＝［−７８°，７８°］での最大色相角変化が少なくとも５度である、請求項１〜３のいずれか一項に記載のネット製品。
【請求項５】
請求項１に記載のネット製品を含む、弾性包帯又は圧迫製品。
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
慢性閉塞性肺疾患の治療用の、Ｎ，Ｎ−ビス−２−メルカプトエチルイソフタルアミド又はその薬学的に許容される塩を活性成分として含む医薬組成物。
【請求項２】
投与されるＮ，Ｎ−ビス−２−メルカプトエチルイソフタルアミド又はその薬学的に許容される塩の投薬量が、全身的にアスコルビン酸塩を再産生することができる量である、請求項１に記載の医薬組成物。
【請求項３】
前記治療が患者の呼吸器の病的状態及び／又は死亡のリスクを低減させる、請求項１又は２に記載の医薬組成物。
【請求項４】
慢性閉塞性肺疾患を患っている患者のその症状を一つ以上軽減する方法に使用するための、Ｎ，Ｎ−ビス−２−メルカプトエチルイソフタルアミド又はその薬学的に許容される塩を活性成分として含む医薬組成物。
【請求項５】
前記症状が骨格筋の疲労及び／又は咳及び／又は痰の産生である、請求項４に記載の医薬組成物。
【請求項６】
前記治療の方法の患者が喫煙者又は前喫煙者である、請求項１〜５のいずれか一項に記載の医薬組成物。
【請求項７】
前記患者が気管支拡張薬、抗コリン作用薬又はコルチコステロイドから選択される活性成分の投与を含む治療も受けている、請求項６に記載の医薬組成物。
【請求項８】
慢性閉塞性肺疾患の治療薬の製造のための、Ｎ，Ｎ−ビス−２−メルカプトエチルイソフタルアミド又はその薬学的に許容される塩の使用。
【請求項９】
投与されるＮ，Ｎ−ビス−２−メルカプトエチルイソフタルアミド又はその薬学的に許容される塩の投薬量が、全身的にアスコルビン酸塩を再産生することができる量である、請求項８に記載の使用。
【請求項１０】
前記治療が患者の呼吸器の病的状態及び／又は死亡のリスクを低減させる、請求項８又は９に記載の使用。
【請求項１１】
慢性閉塞性肺疾患を患っている患者のその症状を一つ以上軽減する方法のための薬の製造のための、Ｎ，Ｎ−ビス−２−メルカプトエチルイソフタルアミド又はその薬学的に許容される塩の使用。
【請求項１２】
前記症状が骨格筋の疲労及び／又は咳及び／又は痰の産生である、請求項１１に記載の使用。
【請求項１３】
前記治療の方法の患者が喫煙者又は前喫煙者である、請求項８〜１２のいずれか一項に記載の使用。
【請求項１４】
前記患者が気管支拡張薬、抗コリン作用薬又はコルチコステロイドから選択される活性成分の投与を含む治療も受けている、請求項１３に記載の使用。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
無機コアと、
前記コアの外側の表面と、
前記表面に付着している疎水性部分を含む薬剤と、
前記表面に付着している親水性部分を含む薬剤と、
を含む粒子と、
ポリマー及び水を含む膜形成ポリマー組成物と、
を含み、前記粒子が前記ポリマー組成物と混合されている、水性コーティング組成物。
【請求項２】
前記疎水性部分を含む薬剤が、トリアルコキシシラン化合物を含む、請求項１に記載の水性コーティング組成物。
【請求項３】
前記疎水性部分を含む薬剤が、式Ｘ１−Ｌ１−Ｒ１の化合物を含み、式中、Ｘ１は、アルコキシシラン基又はクロロシラン基であり、Ｌ１は、連結基であり、Ｒ１は、疎水性部分である、請求項１に記載の水性コーティング組成物。
【請求項４】
前記疎水性部分がＣ２〜Ｃ４０の鎖長を含む、請求項１に記載の水性コーティング組成物。
【請求項５】
前記親水性部分を含む薬剤が、トリアルコキシシラン化合物を含む、請求項１に記載の水性コーティング組成物。
【請求項６】
前記親水性部分を含む薬剤が、式Ｘ２−Ｌ２−Ｒ２の化合物を含み、式中、Ｘ２は、アルコキシシラン基又はクロロシラン基であり、Ｌ２は、連結基であり、Ｒ２は、親水性部分である、請求項１に記載の水性コーティング組成物。
【請求項７】
前記親水性部分が、非イオン性親水性部分及びイオン性親水性部分からなる群から選択される、請求項１に記載の水性コーティング組成物。
【請求項８】
前記粒子が、約５ｎｍ〜約２００ｎｍの平均直径を有する、請求項１に記載の水性コーティング組成物。
【請求項９】
前記親水性部分を含む薬剤と前記疎水性部分を含む薬剤の比が、約８０：１〜約２：１（モル：モル）である、請求項１に記載の水性コーティング組成物。
【請求項１０】
前記ポリマーが、ポリウレタン、ポリアクリレート、ポリウレタン−ポリアクリレート、エポキシド、ポリアクリレート−エポキシド、及びこれらの組み合わせからなる群から選択される、請求項１に記載の水性コーティング組成物。
【請求項１１】
湿潤剤を更に含む、請求項１に記載の水性コーティング組成物。
【請求項１２】
前記表面に付着している親水性部分を含む薬剤を備え、前記表面に付着している疎水性部分を含む薬剤を欠く粒子だけを含む以外は同一である組成物よりも、高い乾燥時耐水性を示す、請求項１に記載の水性コーティング組成物。
【請求項１３】
基材表面をコーティングする方法であって、前記方法が、
水性コーティング組成物を基材表面に適用することであって、前記水性コーティング組成物が粒子を含み、前記粒子が、
無機コアと、
前記コアの外側の表面と、
前記表面に付着している疎水性部分を含む薬剤と、
前記表面に付着している親水性部分を含む薬剤と、
を含む粒子と、
ポリマー及び水を含む膜形成ポリマー組成物と、
を含み、
前記粒子が前記ポリマー組成物と混合されている、ことと、
前記水性コーティング組成物を乾燥することと、
を含む、方法。
【請求項１４】
前記基材表面が、セメント質物質及び天然石からなる群から選択される材料を含む、請求項１３に記載の方法。
【請求項１５】
前記基材表面上に得られる前記コーティングが、少なくとも約７０の光沢度（６０°−ＡＳＴＭ  Ｄ５２３）を有する、請求項１３に記載の方法。
【請求項１６】
前記基材表面上に得られる前記コーティングが、少なくとも約８６の像鮮明度（６０°−ＡＳＴＭ  Ｄ５７６７）を有する、請求項１３に記載の方法。
【請求項１７】
無機コアと、
前記コアの外側の表面と、
前記表面に付着している疎水性部分を含む複数の薬剤と、
前記表面に付着している親水性部分を含む複数の薬剤と、
を含む粒子であって、
前記粒子が、約５ｎｍ〜約２００ｎｍの直径を有し、
前記粒子表面の少なくとも約２０％が、前記親水性部分を含む薬剤及び前記疎水性部分を含む薬剤によって被覆されており、前記親水性部分を含む薬剤と前記疎水性部分を含む薬剤の比が、約８０：１〜約２：１（モル：モル）である、粒子。
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
テトラフルオロエチレン・コア−シェルポリマーと、
一般式：
Ｒ１Ｏ−［ＣＨ２ＣＨ２Ｏ］ｎ−［Ｒ２Ｏ］ｍＲ３                      （Ｉ）
［式中、
Ｒ１は、（Ｒ’）（Ｒ’’）ＨＣ−であり、Ｒ’及びＲ’’は、酸素原子によって１回又は２回以上中断されてもよい、同じか又は異なる直鎖、分岐鎖、又は環式のアルキル基であり、Ｒ１は、少なくとも６個の炭素原子、好ましくは８〜１８個の炭素原子を有し、
Ｒ２は、３又は４個の炭素原子を有するアルキレン単位を表し、
Ｒ３は、水素、Ｃ１〜Ｃ３アルキル基、又はＣ１〜Ｃ３ヒドロキシアルキル基を表し、ｎは、０〜４０の値を有し、ｍは、０〜４０の値を有し、ｎ＋ｍの合計は、少なくとも２である］に対応する少なくとも１種の非フッ素化非イオン性界面活性剤と、
を含む、水性分散液であって、
該コア−シェルポリマーは、該コアより大きい分子量を有する外側シェルを含有し、該分散液は、式
Ｙ−Ｒｆ−Ｚ−Ｍ
［式中、
Ｙは、水素、Ｃｌ、又はＦを表し、
Ｒｆは、直鎖又は分岐鎖の全フッ素化又は部分フッ素化アルキレンを表し、アルキレン鎖は、酸素原子によって１回又は２回以上中断されてもよく、
Ｚは、１種又は複数種の酸アニオンを表し、
Ｍは、１種又は複数種のカウンターカチオンを表す］
に対応するフッ素化乳化剤を本質的に含まず、本質的に含まずとは、該分散液の重量に対して０ｐｐｍを含む５０ｐｐｍ未満の量を意味する、水性分散液。
【請求項２】
前記外側シェルは、テトラフルオロエチレンホモポリマーから製造され、前記コア−シェルポリマーは、テトラフルオロエチレンコポリマーを含有するコアを有する、請求項１に記載の水性分散液。
【請求項３】
前記テトラフルオロエチレン・コア−シェルポリマーのＭＦＩ（３７２／５）は、１ｇ／１０分未満である、請求項１又は２に記載の水性分散液。
【請求項４】
前記テトラフルオロエチレン・コア−シェルポリマーは、テトラフルオロエチレンコポリマーのコアを含有し、該コポリマーは、ヘキサフルオロプロペン、全フッ素化アルキルビニルエーテル、全フッ素化アルキルアリルエーテルから選択され、アルキル単位は、酸素原子によって１回又は２回以上中断されてもよい、請求項１〜３のいずれか一項に記載の水性分散液。
【請求項５】
少なくとも１種のアニオン性スルホン酸塩界面活性剤を更に含む、請求項１〜４のいずれか一項に記載の水性分散液。
【請求項６】
請求項１〜５のいずれか一項に記載の水性分散液を含むコーティング組成物。
【請求項７】
請求項６に記載のコーティング組成物を基材に塗布し、その後、温度処理することを含む、物品をコーティングする方法。
【請求項８】
請求項６に記載のコーティング組成物により得られるコーティングを含む物品。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
プロテインキナーゼＣ（ＰＫＣ）活性化剤を含む、脂質蓄積障害の治療における使用のための薬学的組成物であって、該ＰＫＣ活性化剤が、ブリオスタチン、ブリオログ、または多価不飽和脂肪酸である、薬学的組成物。
【請求項２】
ブリオスタチンが、ブリオスタチン１、ブリオスタチン２、ブリオスタチン３、ブリオスタチン４、ブリオスタチン５、ブリオスタチン６、ブリオスタチン７、ブリオスタチン８、ブリオスタチン９、ブリオスタチン１０、ブリオスタチン１１、ブリオスタチン１２、ブリオスタチン１３、ブリオスタチン１４、ブリオスタチン１５、ブリオスタチン１６、ブリオスタチン１７、ブリオスタチン１８、ブリオスタチン１９、およびブリオスタチンより選択される、請求項１記載の薬学的組成物。
【請求項３】
脂質蓄積障害が、ニーマン・ピック病である、請求項１または２記載の薬学的組成物。
【請求項４】
ニーマン・ピック病が、ニーマン・ピック病Ｃ型である、請求項３記載の薬学的組成物。
【請求項５】
ＰＫＣ活性化剤が、薬学的有効量で投与されるように用いられる、請求項１〜４のいずれか一項記載の薬学的組成物。
【請求項６】
薬学的有効量が投薬あたり０．００００００１ｍｇ／ｋｇ〜２５０ｍｇ／ｋｇである、請求項５記載の薬学的組成物。
【請求項７】
薬学的有効量が投薬あたり０．００００１ｍｇ／ｋｇ〜５．０ｍｇ／ｋｇである、請求項５記載の薬学的組成物。
【請求項８】
ブリオスタチンが、ブリオスタチン１である、請求項１〜７のいずれか一項記載の薬学的組成物。
【請求項９】
ブリオスタチン１が０．０１〜２５μｇ／ｍ２ ＩＶの用量で投与されるように用いられる、請求項８記載の薬学的組成物。
【請求項１０】
ＰＫＣ活性化剤が、経口で、腹腔内に、皮下に、鼻腔内に、口腔に、経皮的に、筋肉内に、直腸内に、静脈内に、または経口吸入によって投与されるように用いられる、請求項１〜８のいずれか一項記載の薬学的組成物。
【請求項１１】
ＰＫＣ活性化剤が、１日あたり１〜４回、１週間に２回、１週間に１回、２週間ごとに１回、３週間ごとに１回、４週間ごとに１回、６週間ごとに１回、８週間ごとに１回、またはさらに低い頻度で投与されるように用いられる、請求項１〜１０のいずれか一項記載の薬学的組成物。
【請求項１２】
ブリオスタチン１を含む、脂質蓄積障害の治療における使用のための薬学的組成物。
【請求項１３】
ブリオスタチン１を含む、ニーマン・ピック病Ｃ型の治療における使用のための薬学的組成物。
【請求項１４】
ブリオスタチン１が、薬学的有効量で投与されるように用いられる、請求項１２または１３記載の薬学的組成物。
【請求項１５】
薬学的有効量が投薬あたり０．００００００１ｍｇ／ｋｇ〜２５０ｍｇ／ｋｇである、請求項１４記載の薬学的組成物。
【請求項１６】
薬学的有効量が投薬あたり０．００００１ｍｇ／ｋｇ〜５．０ｍｇ／ｋｇである、請求項１４記載の薬学的組成物。
【請求項１７】
ブリオスタチン１が０．０１〜２５μｇ／ｍ２ ＩＶの用量で投与されるように用いられる、請求項１２〜１６のいずれか一項記載の薬学的組成物。
【請求項１８】
ブリオスタチン１が、経口で、腹腔内に、皮下に、鼻腔内に、口腔に、経皮的に、筋肉内に、直腸内に、静脈内に、または経口吸入によって投与されるように用いられる、請求項１２〜１６のいずれか一項記載の薬学的組成物。
【請求項１９】
ブリオスタチン１が、１日あたり１〜４回、１週間に２回、１週間に１回、２週間ごとに１回、３週間ごとに１回、４週間ごとに１回、６週間ごとに１回、８週間ごとに１回、またはさらに低い頻度で投与されるように用いられる、請求項１２〜１８のいずれか一項記載の薬学的組成物。
【手続補正２】
【補正対象書類名】明細書
【補正対象項目名】００１３
【補正方法】変更
【補正の内容】
【００１３】
[本発明1001]
ニーマン・ピック病C型の治療における使用のための、薬学的有効量のブリオスタチン1。
[本発明1002]
ニーマン・ピック病C型または脂質蓄積障害の治療における使用のための、薬学的有効量のブリオスタチン1〜20、ブリオログ、多価不飽和脂肪酸、またはそれらの組み合わせ。
[本発明1003]
薬学的有効量が投薬あたり約0.0000001mg/kg〜約250mg/kgである、本発明1001または1002の方法。
[本発明1004]
薬学的有効量が投薬あたり約0.00001mg/kg〜約5.0mg/kgである、本発明1001または1002の方法。
[本発明1005]
薬学的有効量のブリオスタチン1が0.01〜25μg/m2 IVの用量で提供される、本発明1001の方法。
本開示の特徴および利点は、後に続く態様についての説明を読めば、当業者に容易に明らかであろう。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
(a)1-エチル-7-(2-メチル-6-(1H-1,2,4-トリアゾール-3-イル)ピリジン-3-イル)-3,4-ジヒドロピラジノ[2,3-b]ピラジン-2(1H)-オン;並びに(b)ゲンチジン酸及びニコチンアミドからなる群から選択される共形成物を含む、固体形態。
【請求項２】
前記共形成物がゲンチジン酸である、請求項1記載の固体形態。
【請求項３】
前記共形成物がニコチンアミドである、請求項1記載の固体形態。
【請求項４】
結晶形態の80重量%超である、請求項1記載の固体形態。
【請求項５】
共結晶の80重量%超である、請求項4記載の固体形態。
【請求項６】
共結晶の90重量%超である、請求項5記載の固体形態。
【請求項７】
結晶形態の95重量%超である、請求項6記載の固体形態。
【請求項８】
3重量%未満の1-エチル-7-(2-メチル-6-(1H-1,2,4-トリアゾール-3-イル)ピリジン-3-イル)-3,4-ジヒドロピラジノ[2,3-b]ピラジン-2(1H)-オンの他の固体形態を含有する、請求項7記載の固体形態。
【請求項９】
非晶質の1-エチル-7-(2-メチル-6-(1H-1,2,4-トリアゾール-3-イル)ピリジン-3-イル)-3,4-ジヒドロピラジノ[2,3-b]ピラジン-2(1H)-オンをさらに含む、請求項8記載の固体形態。
【請求項１０】
結晶形態の99重量%超である、請求項9記載の固体形態。
【請求項１１】
請求項1記載の固体形態を含む、医薬組成物。
【請求項１２】
単一単位剤形である、請求項11記載の医薬組成物。
【請求項１３】
錠剤である、請求項12記載の医薬組成物。
【請求項１４】
カプセル剤である、請求項12記載の医薬組成物。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
6.18±0.2°、21.74±0.2°、及び26.7±0.2°の2θにピークを含むX線粉末回折パターンを有する、式(I)の化合物又はその互変異性体の結晶形態:
【化１】
2017511361.tif 000001
。
【請求項２】
12.34±0.2°、22.5±0.2°、及び23.42±0.2°の2θにピークをさらに含むX線粉末回折パターンを有する、請求項1記載の結晶形態。
【請求項３】
25℃から300℃に加熱したときに前記結晶形態の全質量のうちの15.5％の全質量損失を含む熱重量分析サーモグラムを有する、請求項1記載の結晶形態。
【請求項４】
25℃から300℃に加熱したときに140℃で最大値を有する90℃〜185℃での吸熱を含む単一示差熱分析サーモグラムを有する、請求項1記載の結晶形態。
【請求項５】
前記単一示差熱分析サーモグラムが264℃で最大値を有する240℃〜285℃の吸熱をさらに含む、請求項4記載の結晶形態。
【請求項６】
少なくとも90%純粋である、請求項1記載の結晶形態。
【請求項７】
3.5±0.2°、9.26±0.2°、及び18.62±0.2°の2θにピークを含むX線粉末回折パターンを有する、式(I)の化合物又はその互変異性体の結晶形態:
【化２】
2017511361.tif 000002
。
【請求項８】
7.06±0.2°、12.66±0.2°、及び15.3±0.2°の2θにピークをさらに含むX線粉末回折パターンを有する、請求項7記載の結晶形態。
【請求項９】
25℃から300℃に加熱したときに前記結晶形態の全質量のうちの12.8％の全質量損失を含む熱重量分析サーモグラムを有する、請求項7記載の結晶形態。
【請求項１０】
25℃から300℃に加熱したときに160℃で最大値を有する110℃〜175℃での吸熱を含む単一示差熱分析サーモグラムを有する、請求項7記載の結晶形態。
【請求項１１】
前記単一示差熱分析サーモグラムが254℃で最大値を有する225℃〜275℃の吸熱をさらに含む、請求項10記載の結晶形態。
【請求項１２】
少なくとも90%純粋である、請求項7記載の結晶形態。
【請求項１３】
10.66±0.2°、21.94±0.2°、及び26.26±0.2°の2θにピークを含むX線粉末回折パターンを有する、式(I)の化合物又はその互変異性体の結晶形態:
【化３】
2017511361.tif 000003
。
【請求項１４】
10.14±0.2°、18.1±0.2°、及び22.66±0.2°の2θにピークをさらに含むX線粉末回折パターンを有する、請求項13記載の結晶形態。
【請求項１５】
25℃から300℃に加熱したときに前記結晶形態の全質量のうちの16.4％の全質量損失を含む熱重量分析サーモグラムを有する、請求項13記載の結晶形態。
【請求項１６】
25℃から300℃に加熱したときに140℃で最大値を有する100℃〜175℃での吸熱を含む単一示差熱分析サーモグラムを有する、請求項13記載の結晶形態。
【請求項１７】
前記単一示差熱分析サーモグラムが258℃で最大値を有する235℃〜275℃の吸熱をさらに含む、請求項16記載の結晶形態。
【請求項１８】
少なくとも90%純粋である、請求項13記載の結晶形態。
【請求項１９】
9.26±0.2°、11.7±0.2°、及び26.18±0.2°の2θにピークを含むX線粉末回折パターンを有する、式(I)の化合物又はその互変異性体の結晶形態:
【化４】
2017511361.tif 000004
。
【請求項２０】
7.46±0.2°、24.26±0.2°、及び24.94±0.2°の2θにピークをさらに含むX線粉末回折パターンを有する、請求項19記載の結晶形態。
【請求項２１】
25℃から300℃に加熱したときに前記結晶形態の全質量のうちの9.4％の全質量損失を含む熱重量分析サーモグラムを有する、請求項19記載の結晶形態。
【請求項２２】
25℃から300℃に加熱したときに80℃で最大値を有する50℃〜140℃での吸熱を含む単一示差熱分析サーモグラムを有する、請求項19記載の結晶形態。
【請求項２３】
前記単一示差熱分析サーモグラムが181℃で最大値を有する160℃〜200℃の発熱をさらに含む、請求項22記載の結晶形態。
【請求項２４】
前記単一示差熱分析サーモグラムが251℃で最大値を有する225℃〜275℃の吸熱をさらに含む、請求項23記載の結晶形態。
【請求項２５】
少なくとも90%純粋である、請求項19記載の結晶形態。